(57)【要約】【課題】手動開放シール部材を取り除く経路が設けられていないトナーカートリッジにおいても密閉を適切に行うことができ、さらに使用開始前に容易に取り除くことが可能となるトナーカートリッジを提供する。【解決手段】トナー収納部、現像機構部、及び、トナー収納部と現像機構部とを連通する開口部が設けられた筐体と、筐体の開口部を塞ぐように、直接又は他の部材を介して筐体に貼付されるシール部材と、を備え、シール部材は、その少なくとも一部がいずれの部材にも貼付されることなく筐体の外部に延びて露出しており、当該露出した一部を引くことにより、当該引いた方向とは異なる方向に貼付した部分が剥離して開口部が開放される、トナーカートリッジである。【選択図】図１２
2018054749.tif 000002
【特許請求の範囲】
【請求項１】
トナー収納部、現像機構部、及び、前記トナー収納部と前記現像機構部とを連通する開口部が設けられた筐体と、
前記筐体の前記開口部を塞ぐように、直接又は他の部材を介して前記筐体に貼付されるシール部材と、を備え、
前記シール部材は、その少なくとも一部がいずれの部材にも貼付されることなく前記筐体の外部に延びて露出しており、当該露出した前記一部を引くことにより、当該引いた方向とは異なる方向に前記貼付した部分が剥離して前記開口部が開放される、トナーカートリッジ。
【請求項２】
前記筐体には、現像ローラが配置されており、
前記シール部材の前記露出した部位は、前記筐体と前記現像ローラとの間を通されて外部に露出している請求項１に記載のトナーカートリッジ。
【請求項３】
前記筐体には、リカバリーブレード及び現像ローラが配置されており、
前記シール部材の前記露出した部位は、前記リカバリーブレードと前記現像ローラとの間を通されて外部に露出している請求項１に記載のトナーカートリッジ。
【請求項４】
前記シール部材の前記露出した部位の先端には持ち手が備えられている請求項１乃至３のいずれか１項に記載のトナーカートリッジ。
【請求項５】
前記持ち手は画像形成装置への着脱を防止するために前記シール部材に対して突出するように形成されている請求項４に記載のトナーカートリッジ。
【請求項６】
前記筐体の前記現像機構部には、試し印刷用のトナーが含まれている請求項１乃至５のいずれか１項に記載のトナーカートリッジ。
【請求項７】
請求項６に記載のトナーカートリッジにより試し印刷をする方法であって、
前記シール部材の前記露出した部位の少なくとも一部を前記筐体に固定して試し印刷をする、試し印刷方法。
【請求項８】
請求項４又は５に記載のトナーカートリッジを備える画像形成装置であって、
前記持ち手が付いた状態では該持ち手が物理的障害となり、前記トナーカートリッジを画像形成装置本体へ装着できないように構成されている、画像形成装置。
【請求項９】
トナー収納部、現像機構部、及び、前記トナー収納部と前記現像機構部とを連通する開口部が設けられた筐体を有するカートリッジの再生方法であって、
新たなシール部材を、前記開口部を塞ぐように直接又は他の部材を介して前記筐体に貼付させつつ、その少なくとも一部はいずれの部材にも貼付させることなく前記筐体の外部に延びて露出させるようにして配置する過程を含み、
新たな前記シール部材の配置は、前記シール部材の露出した部位を引くことにより、前記シール部材の貼付された部位が、引いた方向とは異なる方向に進行しつつ剥離して前記開口部が開放されるようにされている、トナーカートリッジの再生方法。
【請求項１０】
前記シール部材の露出した部位の少なくとも一部を前記筐体に固定するトナーカットリッジの再生方法。
【請求項１１】
前記シール部材を剥離させる前に、画像形成装置に前記トナーカートリッジを装着して試し印刷をする、請求項９又は１０に記載のトナーカートリッジ再生方法。
【発明の詳細な説明】
【技術分野】
【０００１】
本発明は、レーザープリンターや複写機等の画像形成装置本体に装着されるトナーカートリッジ、これによる試し印刷方法、画像形成装置及びトナーカットリッジの再生方法に関する。
【背景技術】
【０００２】
トナーカートリッジは、レーザープリンター、複写機、ファクシミリ等の画像形成装置に装着されて用いられている。トナーカートリッジは、トナーを貯留するとともに、画像を形成し、画像を紙などの記録媒体に転写する手段を備えており、トナーの消費により利用が終わる。これに対して、トナーの補給や一部の部品の交換によりトナーカートリッジがリサイクルされて再利用に供されることがある。トナーカートリッジのリサイクル過程としては、清掃、損傷を受けた部品の交換、磨耗した部品の交換、及びトナーの補給が挙げられる。そしてこのリサイクル過程では、トナーカートリッジの分解及び再組み立てが必要となる。
【０００３】
トナーカートリッジは、画像を形成するための材料であるトナーを収納するトナー収納部と、画像を現像する部材が配置された現像機構部と、を備えて構成され、両者が開口部を有する仕切りで連通している。リサイクルする際には、通常、トナー収納部にトナーを補給するとともに、トナーが漏れないように上記仕切りの開口部をシール部材で塞いでトナー収納部を密閉する。これにより、輸送等における使用前におけるトナーの漏れが防止される。そして、トナーカートリッジの使用者がシール部材を取り除くことでカートリッジは使用可能状態となる（例えば特許文献１）。
【先行技術文献】
【特許文献】
【０００４】
【特許文献１】特開平８−３０５２５８号公報
【発明の概要】
【発明が解決しようとする課題】
【０００５】
しかしながら、近年、トナーカートリッジの種類によっては上記のシール部材を貼ってトナー収納部を密閉することが困難なものも増えてきた。また、トナーカートリッジを画像形成装置にセットしたときにシール部材を自動的に取り除き、トナー収納部と現像機構部とを連通させる方式のカートリッジもある。そうしたカートリッジは構造が複雑であり、カートリッジ再生作業の難易度を上げている。
【０００６】
また、このようなシール部材自動除外機能が備わったトナーカートリッジに対して、使用者が手動で解放するシール部材を取り付けようとしても適切な取り付け場所、シール部材を取り除くための抜き取り経路などがなく、カートリッジの再生を困難にするものである。
【０００７】
ここで、トナーカートリッジの場合、トナー収納部から現像機構部へトナーを供給する開口は、細長い略長方形の開口のものが多い。その開口を密閉する手動開放タイプのシール部材は、開口と同様に細長い形状を有する柔軟なシートであることが一般的であり、開口部分に貼り付けられて開口を閉鎖することでトナー収納部が密閉されている。そして、シール部材は開口の長手方向片側に接着されていない状態で更に長く延びる形状を有する。この更に長く延びる部位はその接着部片側で折り返され、長手方向逆側の開口端部を過ぎ、カートリッジ筐体の外側まで伸びている。その部分を引くことで接着が剥がれ開口が解放され、シール部材全てを筐体外へ引き抜くことで開口は完全に開放される。
【０００８】
しかしながら、シール部材の長手方向延長線上にトナーカートリッジの重要な機能部分が配置されている場合、シール部材を引き抜くためのスリット状の隙間を作ることは困難となる。
【０００９】
また、リサイクルのカートリッジは、カートリッジにリサイクル用のトナーを充填した後、試しに印刷を行ってから出荷されることが一般的であり、画像形成装置に備わったシール部材自動除外機能が働いてしまうと、輸送に耐えるシール部材による密閉が困難となり、リサイクル作業がより困難なものとなる。
【００１０】
そこで本発明は上記問題点に鑑み、手動開放シール部材を取り除く経路が設けられていないトナーカートリッジにおいても密閉を適切に行うことができ、さらに使用開始前に容易に取り除くことが可能となるトナーカートリッジを提供することを課題とする。また、このトナーカートリッジによる試し印刷方法、画像形成装置及びトナーカットリッジの再生方法を提供する。
【課題を解決するための手段】
【００１１】
以下、本発明について説明する。
【００１２】
本発明の１つの態様は、トナー収納部、現像機構部、及び、トナー収納部と現像機構部とを連通する開口部が設けられた筐体と、筐体の開口部を塞ぐように、直接又は他の部材を介して筐体に貼付されるシール部材と、を備え、シール部材は、その少なくとも一部がいずれの部材にも貼付されることなく筐体の外部に延びて露出しており、当該露出した一部を引くことにより、当該引いた方向とは異なる方向に貼付した部分が剥離して開口部が開放される、トナーカートリッジである。
【００１３】
筐体には、現像ローラが配置されてもよく、シール部材の露出した部位は、筐体と現像ローラとの間を通されて外部に露出しているように構成できる。
【００１４】
また、筐体には、リカバリーブレード及び現像ローラが配置されてもよく、シール部材の露出した部位は、リカバリーブレードと現像ローラとの間を通されて外部に露出しているように構成してもよい。
【００１５】
上記トナーカートリッジにおいて、シール部材の露出した部位の先端には持ち手が備えられてもよい。
【００１６】
また、持ち手は画像形成装置への着脱を防止するためにシール部材に対して突出するように形成されてもよい。
【００１７】
筐体の現像機構部には、試し印刷用のトナーが含まれてもよい。
【００１８】
試し印刷用のトナーが含まれたときには、シール部材の露出した部位の少なくとも一部を筐体に固定して試し印刷をする、試し印刷方法を提供できる。
【００１９】
また、上記持ち手が備えられたときには、持ち手が付いた状態では該持ち手が物理的障害となり、トナーカートリッジを画像形成装置本体へ装着できないように構成されている、画像形成装置を提供することができる。
【００２０】
また、本発明の他の態様は、トナー収納部、現像機構部、及び、トナー収納部と現像機構部とを連通する開口部が設けられた筐体を有するカートリッジの再生方法であって、新たなシール部材を、開口部を塞ぐように直接又は他の部材を介して筐体に貼付させつつ、その少なくとも一部はいずれの部材にも貼付させることなく筐体の外部に延びて露出させるようにして配置する過程を含み、新たなシール部材の配置は、シール部材の露出した部位を引くことにより、シール部材の貼付された部位が、引いた方向とは異なる方向に進行しつつ剥離して開口部が開放されるようにされている、トナーカートリッジの再生方法である。
【００２１】
その際にはシール部材の露出した部位の少なくとも一部を筐体に固定することもできる。
【００２２】
また、シール部材を剥離させる前に、画像形成装置にトナーカートリッジを装着して試し印刷をすることもできる。
【発明の効果】
【００２３】
本発明によれば、リサイクルにあっては手動シール部材を取り除く経路が設けられていないカートリッジも再生（リサイクル）が可能となる。
また、その際には、シール部材を自動に除外する機構が設けられたカートリッジであってもシール部材により密閉された状態で試しプリントも可能となる。
また、リサイクルでなく、新品カートリッジにあっては、シンプルな構造のカートリッジとすることが可能となる。
【図面の簡単な説明】
【００２４】
【図１】リサイクル対象となるトナーカートリッジ１０の使用前の構造を示す断面図である。
【図２】第一の筐体２１に具備される開口部２０ａの構造を説明する図である。
【図３】リサイクル対象となるトナーカートリッジ１０の使用の際の構造を示す断面図である。
【図４】画像形成装置の構成を説明する概念図である。
【図５】カートリッジ再生前のトナーカートリッジ１０の構造を示す断面図である。
【図６】図５の状態から、感光体ドラム１１、帯電ローラ１２、クリーニングブレード１３を含む第二の筐体２２を取外した後の状態を示す断面図である。
【図７】図６の状態から、現像ローラ１５、トナー供給ローラ１６及び現像ブレード１９を取り除いた状態を示す断面図である。
【図８】図８（ａ）、図８（ｂ）、図８（ｃ）は、トナー供給ローラ１６の外し方の手順を示す図である。
【図９】第一の筐体２１の斜視図であり、図２の開口部２０ａの構造を示す図である。
【図１０】図１０（ａ）はシール手段１２５を説明する図、図１０（ｂ）はベース板１４０を説明する図である。
【図１１】開口部２０ａにシール手段１２５を接着した状態を示す断面図である。
【図１２】第一の筐体２１の斜視図であり、シール部材１２６が装着された場面を示す図である。
【図１３】シール部材１２７について説明する図である。
【図１４】シール部材１２８について説明する図である。
【図１５】シール手段１２５’について説明する図である。
【図１６】シール部材１２６を貼付した後、新しいトナーＴを第一の筐体２１のトナー収納部２０に補給した状態を示す断面図である。
【図１７】トナーＴを補給した後、現像ローラ１５、トナー供給ローラ１６、及び現像ブレード１９を第一の筐体２１に取り付けた状態を示す断面図である。
【図１８】シール部材１２６の端部が、現像ローラ１５と第一の筐体２１の隙間から外部に露出している状態を示す斜視図である。
【図１９】シール部材１２６の端部を固定部材１３０で第一の筐体２１に固定した状態を示す断面図である。
【図２０】図１９の状態から、感光体ドラム１１、帯電ローラ１２、クリーニングブレード１３を含む第二の筐体２２を取り付けた状態を示す断面図である。
【図２１】持ち手１２６ａを付けた状態を示す断面図である。
【図２２】残トナーを抜き取る方法を示す断面図である。
【図２３】図２３（ａ）、図２３（ｂ）は、シール部材１２６を引き抜く場面を示す斜視図である。
【発明を実施するための形態】
【００２５】
以下本発明を図面に示す形態に基づき説明する。ただし本発明はこれら形態に限定されるものではない。
【００２６】
図１にはリサイクルの対象となるトナーカートリッジ１０が使用される前の状態における断面図を示した。トナーカートリッジ１０は、図１に示すように感光体ドラム１１を備え、該感光体ドラム１１に隣接し、感光体ドラム１１を帯電させる手段である帯電ローラ１２を具備している。さらに感光体ドラム１１の表面をクリーニングする手段としてクリーニングブレード１３が設けられている。
【００２７】
また、感光体ドラム１１に対向するように、現像手段である現像ローラ１５が具備され、現像ローラ１５に接触するようにリカバリーブレード１４、トナー供給ローラ１６、現像ブレード１９が配置されている。そして、トナーを円滑に供給するためのアジテーター１７が備えられ、アジテーター１７を回転させる回転軸１８にアジテーター１７の一端が接続されている。
【００２８】
図１からわかるように、本形態ではトナーカートリッジ１０は、第一の筐体２１及び第二の筐体２２（筐体２１及び筐体２２）により各部材が囲まれて保持されている。
【００２９】
第一の筐体２１には、上記した現像ローラ１５、リカバリーブレード１４、トナー供給ローラ１６、アジテーター１７、回転軸１８、現像ブレード１９、が配置されている。そして、この第一の筐体２１の内側に区画された空間が形成され、ここにトナーが収納されるトナー収納部２０となる。トナー収納部２０の内側にアジテーター１７及び回転軸１８が配置されており、現像ローラ１５、リカバリーブレード１４、トナー供給ローラ１６、現像ブレード１９はトナー収納部２０の外に配置されている。そしてトナー収納部２０は、その一部に開口部２０ａが形成されており、この開口部２０ａにより、トナー収納部２０とトナー供給ローラ１６が配置された部位（現像機構部）とが連通している。
【００３０】
リカバリーブレード１４は、トナーの漏れ防止のために設けられる部材である。すなわち、トナーは現像ローラ１５に付着し、現像ブレード１９との間を通過することで均一に現像ローラ１５に塗布される。その後、トナーは第二の筐体２２の感光体ドラム１１へ運ばれる。感光体ドラム１１へ現像され残ったトナーが第一の筐体２１内へ戻ってくるところにリカバリーブレード１４が設けられている。すなわち、戻り口としての現像ローラ１５と第一の筐体２１との隙間からトナーが漏れないようにするためにリカバリーブレード１４が設けられている。リカバリーブレード１４は、例えばフィルム状の部材で構成され、現像ローラ１５と接触している。なお、リカバリーブレード１４と第一の筐体２１との間にスポンジの如き弾性体等の部材を設けることにより、リカバリーブレード１４と現像ローラ１５の接触が安定し、トナーの漏れ防止機能がより向上する場合もある。
【００３１】
図２には、この開口部２０ａを図１にＩＩで示した方向から見た図を表した。図２かわかるように、本形態で開口部２０ａは１つの大きな開口から形成されているのはなく、小さな開口２０ｂが複数配列して形成されている。従って、開口部２０ａでは開口２０ｂの間にしきり２０ｃが設けられている。なお、しきり２０ｃにより仕切られていることは現像機構上の意味は少なく、むしろ筐体の強度、精度を出すためのものである。
【００３２】
図２からわかるように開口部２０ａは電子写真方式の構造上、細長い形状である。プリント可能サイズにもよるが、幅：長さは、１：５より長いものが一般的である。例えば、開口部の幅が２０ｍｍの場合、Ａ４サイズプリンタであれば、長さは１８０ｍｍ程度であり、１：９程度、Ａ３サイズプリンタであれば、長さは３００ｍｍ程度であり、１：１５程度となる。その開口部２０ａを密閉するためのシール部材の接着部分も四方にそれぞれ数ｍｍの糊代を設けたものであり、１：５より細長い接着部分をもった形状である。
【００３３】
このようなトナーカートリッジ１０では、使用前において、トナーの漏洩を防ぐため、開口部２０ａがシール部材２５により閉鎖（シール）されている。シール部材２５はフィルム状のシール材である。そして、このシール部材２５の一端は回転軸１８に取り付けられている。
【００３４】
一方、第二の筐体２２には、上記した感光体ドラム１１、帯電ローラ１２、及びクリーニングブレード１３が配置されている。
【００３５】
トナーカートリッジ１０が画像形成装置本体に装着されると、図３にＩＩＩで示したように回転軸１８が回転し、シール部材２５が引っ張られて開口部２０ａから離脱する。これにより開口部２０ａの閉鎖状態が解除され、トナー収納部２０に収容されていたトナーがトナー収納部２０から現像機構部に流出できるようになる。
【００３６】
トナーカートリッジ１０により、感光体ドラム１１に像が形成される過程は公知の通りである。
【００３７】
図４には、トナーカートリッジ１０を備える画像形成装置１の概念図を示した。この画像形成装置１によれば、紙等の記録媒体が図４に矢印ＩＶで示したように移動し、転写ローラ１ａと像が表面に形成された感光体ドラム１１との間に挟まれ、当該像が記録媒体に転写される。その後、定着装置２により記録媒体に像が定着され、排出される。
なお、トナーカートリッジを複数備えたカラー画像形成装置の場合、感光ドラムから中間転写ベルトに複数色のトナーを転写し、さらに中間転写ベルトから複数色のトナーを記録媒体に転写した上で定着装置により像が定着され、排出される方式が一般的である。
【００３８】
次にトナーカートリッジ１０において、トナー収納部２０の中のトナーを使い切ったときに、トナーカートリッジにトナーを補給する方法、及びリサイクルトナーカートリッジの製造方法について説明する。図５には、カートリッジ再生前のトナーカートリッジ１０を示した。
【００３９】
図５に示した状態から、図６に示したように感光体ドラム１１、帯電ローラ１２、クリーニングブレード１３を含む第二の筐体２２を取り外す。
【００４０】
次に図７に示したように、現像ローラ１５、トナー供給ローラ１６、及び現像ブレード１９を取り除く。図８には、この過程におけるトナー供給ローラ１６の外し方の手順を示す。図８（ａ）は、トナー供給ローラ１６が第一の筐体２１に取り付けられている状態を示す。トナー供給ローラ１６は、第一の筐体２１に直接取り付けられるトナー供給ローラ軸１６ａと、トナー供給ローラ軸１６ａの周りに接着されたトナー供給ローラスポンジ部材１６ｂとを備えている。この状態から、トナー供給ローラ１６を取り除く作業において、作業者は、トナー供給ローラ１６の両端の軸受けを第一の筐体２１から分離せず、図８（ｂ）に示すようにトナー供給ローラ１６を軸方向に片方の軸受に押し付ける。これにより、トナー供給ローラスポンジ部材１６ｂの圧縮部１６ｃが形成されつつ、トナー供給ローラ軸１６ａと、トナー供給ローラスポンジ部材１６ｂの間の接着を部分的に剥がす。そして、トナー供給ローラ軸１６ａの押し付けた反対側の端部が第一の筐体２１の内側になる位置まで移動する。そして、図８（ｃ）に示すように、トナー供給ローラ１６を第一の筐体２１から抜き出すことで、現像機構の精度を狂わすことなく、かつ最終的に再生されたカートリッジもきれいなものとなり、優れた再生作業が可能となる。
【００４１】
図９は、図７を右上から見た第一の筐体２１（第一の筐体２１の一部は省略されている。）の斜視図である。図９には、図２に示した開口部２０ａの構造が表れている。すなわち、開口部２０ａは１つの大きな開口から形成されているのはなく、小さな開口２０ｂが複数（本例では４つ）配列されている。従って、開口部２０ａでは開口２０ｂの間にしきり２０ｃが設けられている。
【００４２】
次に、開口部２０ａを密閉するシール手段１２５の一例について図１０を参照しつつ説明する。図１０（ａ）はシール手段１２５の平面図、図１０（ｂ）は、シール手段１２５のうちベース板１４０のみを表した平面図である。図１０（ａ）からわかるようにシール手段１２５は、ベース板１４０、及び該ベース板１４０に貼り付けられたシール部材１２６を有している。本例はベース板１４０（他の部材）を介してシール部材１２６を第一の筐体２１に貼り付ける例である。
【００４３】
ベース板１４０は、仕切り２０ｃを除外して開口部２０ａを連結させたとほぼ同じサイズの開口１４０ａが設けられた板状の部材である。シール部材１２６は、ベース板１４０の開口１４０ａを塞ぐようにしてベース板１４０に貼り付けられた可撓性を有する帯状のシートである。ここで、ベース板１４０とシール部材１２６とは使用者がシール部材１２６を取り除く際に困難のない程度の強度で接着されている。
【００４４】
図１０（ａ）、図１０（ｂ）からわかるように、この例ではシール部材１２６を剥がし始める側の端は、長手方向に対して傾斜するように（本例では４５度）ベース板１４０に接着されており、その部分で当該傾斜の角度で（本例では４５度）に折り返すことでシール部材１２６を引っ張る部分をシール部材１２６の長手方向で向きを変えている（本例では直角になるように向きが変えられている。）。また、この例においては、ベース板１４０の開口１４０ａを端部までなるべく広く設けるために、当該開口１４０ａの端部の縁もこのシール部材１２６の折り返しに沿って、斜めに傾斜させている（本例では長手方向に対して４５度。）。これにより、シール部材１２６を長手方向とは異なる方向（本例ででは直角方向）に引っ張ることで、シール部材１２６をベース板１４０から剥がすことが可能となる。
【００４５】
ただし、トナー収納部２０から現像機構部への供給能力が十分であれば、ベース板１４０の開口１４０ａの端部を斜めにしてまで延ばす必要はなく、長手方向に対して直交するような端部の縁にして長方形である開口１４０ａとしてもよい。
【００４６】
また、シール部材１２６を長手方向とは異なる方向に引っ張ることで、シール部材１２６をベース板１４０から剥がすことが可能となれば、必ずしもシール部材１２６の引っ張る側の端部をこのように傾斜させてベース板１４０に貼り付ける必要はなく、シール部材１２６を弛ませた状態で引っ張る方向だけ長手方向とは異なる方向となるように構成してもよい。
【００４７】
シール部材１２６は、狭いすき間をすり抜けるように薄く弾性が小さい可撓性を有する材質のフィルムが好ましい。また、ベース板１４０との接着面にホットメルト成分が塗布されたものとするとベース板１４０との接着が容易である。
一方、ベース板１４０は、開口部１４０ａが開口部２０ａを塞がないように第一の筐体２１へ貼り付けるが、その際の容易性を考えると、弾性を有するプラスチック板が好ましい。ベース板１４０の第一の筐体２１への接着は両面テープやホットメルト定着などが容易である。その際には、シール部材１２６とベース板１４０との接着より強固なものが選択される。
【００４８】
以上のようなシール手段１２５を図１１に示すように、第一の筐体２１の開口部２０ａを密閉するようにベース板１４０をシール部材１２６との接着面とは反対側の面で第一の筐体２１の周辺壁へ接着する。ベース板１４０と第一の筐体２１との接着力はベース板１４０とシール部材１２６との接着力より強固になるようにする。シール部材１２６を剥がす際、その力でベース板１４０が第一の筐体２１から剥がれないようにするためである。図１２には開口部２０ａにシール手段１２５が貼り付けられた状態を斜視図で表した。
【００４９】
図１３には他の例のシール部材１２７を適用した例を斜視図で表した。このシール部材１２７は、シール部材１２６のように真っ直ぐな帯状のフィルムを折り返すのではなく、剥がし始める側の端部でフィルム自体に直角に曲がった部位を有するものである。これによれば、開口部２０ａを端部ギリギリまで確保することができ、当該端部におけるトナーの供給性能をより良好にできる。
【００５０】
図１４には更に別形態のシール部材１２８の例を示す。このシール部材１２８は細長い帯状のものではなく、第一の筐体２１の開口部２０ａを塞ぐ以外の引き抜きのための部分は略三角形状となっている。ただし、その略三角形の頂点が開口部２０ａの長手方向の一端側に寄った形状とされている。これによりこの頂点に持ち手などを付け、これを長手方法と略直角に引くことでシール部材は頂点が寄った側の端部から剥がれ、長手方向に円滑に進めることができ、上記したシール部材と同様の効果を発揮する。
【００５１】
図１５には、他の例のシール手段１２５’を適用した例の断面図を表した。図１４は図１１と同じ視点からの図である。ここまで説明した例ではシール手段に他の部材であるベース板１４０が備えられていたが、シール手段１２５’ではベース板などの他の部材を使用せず、シール部材１２６が開口部２０ａを塞ぐように第一の筐体２１にシール部材１２６を直接貼り付けて密閉した例である。リサイクルでなく、新品のトナーカートリッジの場合、周辺部品が邪魔にならない状態でシール部材を貼り付けるように設計されている場合、このようにベース板がなくても容易にシール部材１２６を適用することができる。ここではシール部材１２６について説明したが、シール部材１２７、１２８も同様である。
【００５２】
引き続きトナーカートリッジにトナーを補給する方法、及びリサイクルトナーカートリッジの製造方法について説明を続ける。なお、ここからは、ベース板１４０を用いないシール手段１２５’により説明するが、ベース板１４０を用いたシール手段１２５で、シール部材１２６、１２７、１２８を適用した場合も同様である。
【００５３】
図１６は、シール部材１２６を貼付した後、新しいトナーＴを第一の筐体２１のトナー収納部２０に補給した状態を示す。この補給は、例えば第一の筐体２１の一部に穴を開け、そこからトナーＴを充填することにより可能である。また、シール部材１２６を貼付する前に（図７、図９の状態）、開口部２０ａからトナーＴを充填し、その後シール部材１２６を接着しても良い。
【００５４】
次に、図１７に示したように、現像ローラ１５とトナー供給ローラ１６、現像ブレード１９を第一の筐体２１に取り付ける。現像ローラ１５、トナー供給ローラ１６、現像ブレード１９は、取り外したものを再度使用してもよいし、新品と交換してもよい。また、トナーＴを補給する前に現像ローラ１５とトナー供給ローラ１６、現像ブレード１９を取り付けて最後にトナーＴを補給してもよい。
【００５５】
以上のようにして組みあがった状態では、図１８に示すように、シール部材１２６の端部が、現像ローラ１５と第一の筐体２１の隙間（リカバリーブレート１４との隙間）から外部に露出している。シール部材１２６を引き抜く際、接触するリカバリーブレード１４が傷んだり、撓んだりしてしまうことの防止のためにリカバリーブレード１４を、元のものより弾性の強いもの、厚く強度のあるものに交換してもよい。また、リカバリーブレード１４と現像ローラ１５との接触を安定化させるためにリカバリーブレード１４と第一の筐体２１の間に弾性体を付けたり、元々付いていた弾性体より弾力のあるもの、厚いもの、第一の筐体２１の内側への奥行のあるものなどに張り替えても良い。元の弾性体に加え、更に第一の筐体２１の内側に追加してもよい。
【００５６】
次に試し印刷について説明する。従来のシール部材は細長い開口の長手方向延長線上にシール部材抜き取りスリットが設けられているため、現像ローラや供給ローラの回転と擦れない状態で試し印刷が行うことができた。しかしながら、上記説明した各形態のシール部材については、現像ローラ１５とシール部材１２６の引き抜き用の端部が接触する配置となる。また、シール部材の引き抜き用の端部の経路によっては、トナー供給ローラ１６と接触し、その回転でシール部材１２６が引っ張られてしまう。そこでシール部材１２６が貼られた状態で試しプリントをする際にはシール部材１２６を固定する必要がある。
【００５７】
また、トナーカートリッジを購入した使用者が使用開始前にシール部材１２６を抜き忘れた状態でプリンタを作動させると現像ローラ１５などの回転でシール部材１２６の端部が筐体２１の内部へ引き込まれてしまい、シール部材１２６を引き抜くことが困難になったり、逆に現像ローラ１５などの回転でシール部材１２６が開口部２０ａから中途半端に剥がれた状態になったりしてしまい、画像不良の原因となる虞もある。そのため、シール部材１２６の引き抜き用端部に対して何らかの処理をすることが好ましい。これにより、使用者がシール部材１２６の存在に気づき、更に好ましくはその処理が物理的障害となり、画像形成装置にトナーカートリッジを装着できないような状態にしておくことである。以下に２つの例について説明する。
【００５８】
１つの例は、図１９に示したように、シール部材１２６の露出した端部の少なくとも一部をテープなどの固定部材１３０で第一の筐体２１に固定するものである。このように固定することにより、シール部材１２６が現像ローラ１５等の回転で巻き込まれるのを防止することができる。さらに、開口部２０ａを閉鎖した後、現像ローラ１５とトナー供給ローラ１６を含む現像機構部に、試し印刷用の少量のトナーＴ’を補給する。補給する方法は特に限定されないが、現像ローラ１５上にトナーＴ’をまぶし、現像ローラ１５を回転させて、第一の筐体２１の内部へ送りこむ作業を繰り返し、必要量を現像機構部へ入れてもよい。また、現像ローラ１５とトナー供給ローラ１６、現像ブレード１９を取り付ける前や途中の工程で補給しても良い。一般的には供給ローラ１６、現像ブレード１９を取り付けた後、現像ローラ１５を取り付ける前がより好ましい。シール部材１２６の端部が固定部材１３０で固定されているため、シール部材１２６の巻き込みが防止される。
【００５９】
また、シール部材１２６の固定は筐体外側の固定部材１３０によるものに限らず、筐体内側において行ってもよい。シール部材１２６の引き抜き経路、開口部２０ａとの接着位置から現像ローラ１５と第一の筐体２１の隙間までの途中部分に接着力の比較的弱い両面テープなどを用いて、シール部材１２６を第一の筐体２１の内部壁面に接着しておくと、供給ローラ１６との接触を回避し、試し印刷における供給ローラ１６と接触に起因する画像不良やシール部材１２６及び供給ローラ１６の故障を避けることができる。なお、この両面テープは貼った状態でトナーカートリッジを出荷することになるため、使用者がシール部材１２６を引き抜く際の障害にならない程度に接着力の比較的弱いものを選択する。
【００６０】
このように図１９に示した状態から、図２０に示したように感光体ドラム１１、帯電ローラ１２、クリーニングブレード１３を含む第二の筐体２２を取り付ける。こうして完成したトナーカートリッジ１０を画像形成装置本体にセットし、試し印刷を実施して不具合がないかを調べることができる。
【００６１】
もう１つの例は、図２１に示したように、シール部材１２６の端部に持ち手１２６ａを付けたものである。持ち手１２６ａを一種の障害物として機能させ、トナーカートリッジ１０を画像形成装置本体の正規の位置にセットできないようにしておくと、シール部材１２６の抜き忘れ防止に役立てることができる。すなわち、シール部材１２６を持ち手１２６ａと共に引き抜かない場合、持ち手１２６ａが障害となり、トナーカートリッジ１０を画像形成装置本体の正しい位置にセットできない構造になっている。
そのため、持ち手１２６ａは例えばシール部材１２６に対して厚く及び／又は幅広に形成して、持ち手１２６ａがシール部材１２６に対して突出するようにすることができる。
【００６２】
以上のような試し印刷では、試し印刷に使用した残トナーは僅かであり、そのままでも輸送時のトナー漏れは僅かにしか起こらないが、図２２に示したように現像機構部に小さな穴２１ａを開けておき、残トナーをそこから完全に抜き出してもよい。残トナー抜きだし用の穴は予め開けておき、テープなどで封をしておき、試し印刷の後に剥がし、トナーをそこから抜き取り、またテープなどで封をすればよい。抜き取り方法としては吸引抜き取りが好ましく、この抜きだし用穴はカートリッジ長手方法両側にふたつ設け、両側から順に吸い取ると反対側の穴から空気が入り効率的である。また、反対側の穴から圧空を入れたり、バイブレーターなどでトナーカートリッジに振動を与えたりするとより効率的にトナーが抜き出せる。
【００６３】
以上のようにして、製造されたトナーカートリッジは、使用開始に当たっては、図２３（ａ）、図２３（ｂ）に示すようにシール部材１２６を引き抜く。現像ローラ１５とリカバリーブレード１４との間から先端が出ているシール部材１２６は、矢印Ａで示したようにカートリッジ長手方向とは異なる方向（本形態では略直角な方向）に力を加えることで剥がれ、剥がれは矢印Ｂで示した長手方向に円滑に進行していき、最後は完全に取り除かれる。なお、図２２（ａ）、図２２（ｂ）においては、わかりやすくするために第二の筐体２２を省略した斜視図としている。使用者は第二の筐体２２も付いた状態でシール部材の引き抜きを行うことが通常である。
【符号の説明】
【００６４】
１０  トナーカートリッジ
１１  感光体ドラム
１２  帯電ローラ
１３  クリーニングブレード
１４  リカバリーブレード
１５  現像ローラ
１６  トナー供給ローラ
１７  アジテーター
１８  回転軸
１９  現像ブレード
２０  トナー収納部
２０ａ  開口部
２０ｂ  開口
２０ｃ  仕切り
２１  第一の筐体（筐体）
２１ａ  穴
２２  第二の筐体（筐体）
１２５、１２５’  シール手段
１２６  シール部材
１２６ａ  持ち手
１２７、１２８  シール部材
１３０  固定部材
１４０  ベース板
【図１】
2018054749.tif 000003
【図２】
2018054749.tif 000004
【図３】
2018054749.tif 000005
【図４】
2018054749.tif 000006
【図５】
2018054749.tif 000007
【図６】
2018054749.tif 000008
【図７】
2018054749.tif 000009
【図８】
2018054749.tif 000010
【図９】
2018054749.tif 000011
【図１０】
2018054749.tif 000012
【図１１】
2018054749.tif 000013
【図１２】
2018054749.tif 000014
【図１３】
2018054749.tif 000015
【図１４】
2018054749.tif 000016
【図１５】
2018054749.tif 000017
【図１６】
2018054749.tif 000018
【図１７】
2018054749.tif 000019
【図１８】
2018054749.tif 000020
【図１９】
2018054749.tif 000021
【図２０】
2018054749.tif 000022
【図２１】
2018054749.tif 000023
【図２２】
2018054749.tif 000024
【図２３】
2018054749.tif 000025
【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
トナー収納部、現像機構部、及び、前記トナー収納部と前記現像機構部とを連通する開口部が設けられた筐体と、
前記筐体の前記開口部を塞ぐように、直接又は他の部材を介して前記筐体に貼付されるシール部材と、を備え、
前記シール部材は、その少なくとも一部がいずれの部材にも貼付されることなく前記筐体の外部に延びて露出しており、当該露出した前記一部を引くことにより、当該引いた方向とは異なる方向に前記貼付した部分が剥離して前記開口部が開放される、トナーカートリッジ。
【請求項２】
前記筐体には、現像ローラが配置されており、
前記シール部材の前記露出した部位は、前記筐体と前記現像ローラとの間を通されて外部に露出している請求項１に記載のトナーカートリッジ。
【請求項３】
前記筐体には、リカバリーブレード及び現像ローラが配置されており、
前記シール部材の前記露出した部位は、前記リカバリーブレードと前記現像ローラとの間を通されて外部に露出している請求項１に記載のトナーカートリッジ。
【請求項４】
前記シール部材の前記露出した部位の先端には持ち手が備えられている請求項１乃至３のいずれか１項に記載のトナーカートリッジ。
【請求項５】
前記持ち手は画像形成装置への着脱を防止するために前記シール部材に対して突出するように形成されている請求項４に記載のトナーカートリッジ。
【請求項６】
前記筐体の前記現像機構部には、試し印刷用のトナーが含まれている請求項１乃至５のいずれか１項に記載のトナーカートリッジ。
【請求項７】
請求項６に記載のトナーカートリッジにより試し印刷をする方法であって、
前記シール部材の前記露出した部位の少なくとも一部を前記筐体に固定して試し印刷をする、試し印刷方法。
【請求項８】
請求項４又は５に記載のトナーカートリッジを備える画像形成装置であって、
前記持ち手が付いた状態では該持ち手が物理的障害となり、前記トナーカートリッジを画像形成装置本体へ装着できないように構成されている、画像形成装置。
【請求項９】
トナー収納部、現像機構部、及び、前記トナー収納部と前記現像機構部とを連通する開口部が設けられた筐体を有するカートリッジの再生方法であって、
新たなシール部材を、前記開口部を塞ぐように直接又は他の部材を介して前記筐体に貼付させつつ、その少なくとも一部はいずれの部材にも貼付させることなく前記筐体の外部に延びて露出させるようにして配置する過程を含み、
新たな前記シール部材の配置は、前記シール部材の露出した部位を引くことにより、前記シール部材の貼付された部位が、引いた方向とは異なる方向に進行しつつ剥離して前記開口部が開放されるようにされている、トナーカートリッジの再生方法。
【請求項１０】
前記シール部材の露出した部位の少なくとも一部を前記筐体に固定するトナーカートリッジの再生方法。
【請求項１１】
前記シール部材を剥離させる前に、画像形成装置に前記トナーカートリッジを装着して試し印刷をする、請求項９又は１０に記載のトナーカートリッジ再生方法。
【手続補正３】
【補正対象書類名】明細書
【補正対象項目名】０００１
【補正方法】変更
【補正の内容】
【０００１】
本発明は、レーザープリンターや複写機等の画像形成装置本体に装着されるトナーカートリッジ、これによる試し印刷方法、画像形成装置及びトナーカートリッジの再生方法に関する。
【手続補正４】
【補正対象書類名】明細書
【補正対象項目名】００１０
【補正方法】変更
【補正の内容】
【００１０】
そこで本発明は上記問題点に鑑み、手動開放シール部材を取り除く経路が設けられていないトナーカートリッジにおいても密閉を適切に行うことができ、さらに使用開始前に容易に取り除くことが可能となるトナーカートリッジを提供することを課題とする。また、このトナーカートリッジによる試し印刷方法、画像形成装置及びトナーカートリッジの再生方法を提供する。